(57)【要約】【課題】機構板が後側に反り検知スイッチが初期の取付位置から後方へずれても、透明板保持枠の開閉状態を正しく検知する弾球遊技機を提供する。【解決手段】内枠３とその前面に開閉自在に装着される透明板保持枠８と内枠３の後面に装着される機構板１６とを備え、透明板保持枠８の開閉動作を検知する開閉動作検知装置Ａが配置され、該開閉動作検知装置Ａは、主弾性部材３４により常に内枠３前面から前方へ突出するように付勢される検知棒２２と、機構板１６に設けられ検知棒２２が押動または離反することにより透明板保持枠８の開閉動作を検知する検知スイッチ２３とからなり、検知棒２２の後端部に副弾性部材２９を装着し、透明板保持枠８を閉めた状態で検知スイッチ２３が後方へずれたとしても、副弾性部材３４が検知スイッチ２３の検知部２３ａを押動するように該副弾性部材２９の自然長の寸法が設定される。【選択図】図６
2009195274.tif 000002
【特許請求の範囲】
【請求項１】
遊技盤を配設し外枠に装着される内枠と、前記遊技盤の前面を覆うようにして前記内枠の前面に開閉自在に装着される透明板保持枠と、前記内枠の後面に開閉自在に装着され球タンク、タンクレール等の裏部品が装着される機構板と、を備えたパチンコ遊技機であって、
前記透明板保持枠の開閉動作を検知する開閉動作検知装置が配置され、前記開閉動作検知装置は、前記内枠に装着され前後方向に自在に摺動すると共に主弾性部材により常に内枠前面から前方へ突出して前記透明板保持枠に当接するように付勢される検知棒と、該検知棒の後端面と対向位置して前記機構板に設けられ該検知棒の後端が検知部を押動または離反することにより前記透明板保持枠の開閉動作を検知する検知スイッチとからなり、
前記検知棒の後端部に前後方向に自在に伸縮する副弾性部材を装着し、前記透明板保持枠を閉めた状態で前記検知スイッチが後方へずれたとしても、そのずれた位置に追随して前記副弾性部材が前記検知スイッチの検知部を押動して前記透明板保持枠が閉められているものと認識できるように該副弾性部材の自然長の寸法が設定されていることを特徴とする弾球遊技機。
【発明の詳細な説明】
【技術分野】
【０００１】
本発明は、遊技盤を配設し外枠に装着される内枠と、その前面を覆うようにして内枠の前面に開閉自在に装着される透明板保持枠と、内枠の後面に開閉自在に装着される機構板と、を備えたパチンコ遊技機に関するものである。
【背景技術】
【０００２】
一般に、弾球遊技機の一種であるパチンコ遊技機は、遊技盤を配設した内枠が外枠前面に開閉自在に装着されている。また、遊技盤の前面を覆うようにして内枠の前面に透明板保持枠が開閉自在に装着され、内枠の後面には球タンク、タンクレール等の裏部品を装着した機構板が開閉自在に装着されている。前記透明板保持枠は遊技盤前面の遊技部を覆っていることから、該遊技盤保持枠を故意に開放して不正行為が行なわれ易い。そこで、パチンコホールにあっては、これを防止するため、該透明板保持枠の開閉動作を検知して監視するようにしている。その手段として、例えば特許文献１に示されるようなパチンコ遊技機が有る。
【０００３】
すなわち、前記パチンコ遊技機は、外枠に装着される内枠の所定位置に前後方向に出没自在な検知部を設けた検出スイッチを該検知部が前側を向くようにして配置している。そして、透明板保持枠を閉めた状態では、該透明板保持枠により検知部が押されて後退し、検知スイッチにより透明板保持枠の閉鎖状態が検知される。また、透明板保持枠が開かれた状態では、検知部が開放されて前進し、検知スイッチにより透明板保持枠の開放状態が検知されるようになっている。
【０００４】
【特許文献１】特開２００４−１６３００号公報（段落００２８〜段落００３４、図８）
【発明の開示】
【発明が解決しようとする課題】
【０００５】
ところで、設置スペースの関係から、検知スイッチを内枠の後面に装着される機構板に配置し、また、前後方向に自在に摺動すると共に弾性部材により常に内枠前面から前方へ突出して透明板保持枠に当接するように付勢される検知棒を内枠に装着し、該検知棒を介して透明板保持枠の開閉動作を検知することが考えられる。しかしながら、前記機構板は通常合成樹脂材により板状に成形され、しかも、その後面にはその上部に位置する球タンクやタンクレールといった多くの裏部品が装着され多大な荷重が加わる。このため、長い間使用していると機構板の特に上縁が内枠の後面から離れるように後方へ反って、検知スイッチの初期の位置が後方へずれる可能性がある。このように検知スイッチが後方へずれると、透明板保持枠が閉まっているにも拘らず、検知棒の後端が検知スイッチの検知部に届かず、該検知スイッチが透明板保持枠の開閉状態を正しく検知し得ないという致命的な課題が生ずる。
【０００６】
そこで、本発明は上記課題に鑑みてなされたもので、仮に機構板が後側に反って検知スイッチが初期の位置から後方へずれたとしても、透明板保持枠を閉めた状態では必ず検知棒が検知スイッチの検知部を押動して、透明板保持枠の開閉状態を正しく検知するようにした弾球遊技機を提供することを目的とするものである。
【課題を解決するための手段】
【０００７】
かかる目的を達成するため本発明に係る弾球遊技機は、遊技盤を配設し外枠に装着される内枠と、前記遊技盤の前面を覆うようにして前記内枠の前面に開閉自在に装着される透明板保持枠と、前記内枠の後面に開閉自在に装着され球タンク、タンクレール等の裏部品が装着される機構板と、を備えたパチンコ遊技機であって、前記透明板保持枠の開閉動作を検知する開閉動作検知装置が配置され、前記開閉動作検知装置は、前記内枠に装着され前後方向に自在に摺動すると共に主弾性部材により常に内枠前面から前方へ突出して前記透明板保持枠に当接するように付勢される検知棒と、該検知棒の後端面と対向位置して前記機構板に設けられ該検知棒の後端が検知部を押動または離反することにより前記透明板保持枠の開閉動作を検知する検知スイッチとからなり、前記検知棒の後端部に前後方向に自在に伸縮する副弾性部材を装着し、前記透明板保持枠を閉めた状態で前記検知スイッチが後方へずれたとしても、そのずれた位置に追随して前記副弾性部材が前記検知スイッチの検知部を押動して前記透明板保持枠が閉められているものと認識できるように該副弾性部材の自然長の寸法が設定されていることを特徴とする。
【発明の効果】
【０００８】
本発明に係る弾球遊技機は、透明板保持枠の開閉動作を検知する開閉動作検知装置を配置し、該開閉動作検知装置は、内枠に装着され前後方向に自在に摺動すると共に主弾性部材により常に内枠前面から前方へ突出して前記透明板保持枠に当接するように付勢される検知棒と、該検知棒の後端面と対向位置して前記機構板に設けられ該検知棒の後端が検知部を押動または離反することにより透明板保持枠の開閉動作を検知する検知スイッチとからなる。そして、検知棒の後端部に前後方向に自在に伸縮する副弾性部材を装着し、透明板保持枠を閉めた状態で検知スイッチが後方へずれたとしても、そのずれた位置に追随して副弾性部材が検知スイッチの検知部を押動して透明板保持枠が閉められているものと認識できるように該副弾性部材の自然長の寸法が設定されている。よって、仮に機構板が後側に反って検知スイッチが初期の位置から後方へずれたとしても、透明板保持枠を閉めた状態では、必ず検知棒が検知スイッチの検知部を押動する。これにより、透明板保持枠の開閉状態を正しく検知することができ、その監視も容易に行なえるという有益な効果がある。
【発明を実施するための最良の形態】
【０００９】
以下、本発明に係る弾球遊技機の実施の形態を図面に従って詳しく説明する。弾球遊技機としては、パチンコ遊技機、雀球遊技機、アレパチ機、アレンジボール機があり、本発明はいずれにも適用できるが、この内、パチンコ遊技機について説明する。図１は本発明に係るパチンコ遊技機の表から見た外観斜視図、図２は同裏から見た外観斜視図である。パチンコ遊技機Ｐは、縦長長方形状に枠組みされた外枠１の前面に、該外枠１の一側に設けたヒンジ機構２を介して内枠３が開閉自在に軸着される。該内枠３には、図柄を変動表示する可変表示装置４や遊技球の入賞により該可変表示装置４を作動させる始動入賞口５、前記停止した図柄が特定の図柄（例えば、７７７）に揃ったとき遊技者に有利な特別遊技状態となり、開成して一度に多くの入賞球を発生させる入賞装置６等の盤面部品を装着した遊技盤７が配設されている。
【００１０】
内枠３の前面には、遊技盤７の前面上部を覆う透明板保持枠８とその下方に位置して遊技盤７の前面下部を覆う前板９が配置される。また、前板９の下方に下部前板１０が配置される。透明板保持枠８及び前板９は、共に一側で開閉自在に軸着される。前記前板９の前面に、打球発射位置へ供給される遊技球を貯溜するための上部球受皿１１が装着される。下部前板１０の前面には、上部球受皿１１から溢れる遊技球を貯留する下部球受皿１２が装着され、その一側に打球発射位置（図示せず。）から発射される遊技球の打球強さを調整する打球力調整ハンドル１３が設けられている。
【００１１】
透明板保持枠８に、前記遊技盤７前面の遊技部が視認できる開口１４が開設され、該開口１４には合成樹脂製またはガラス製の一対の透明板１５が装着されている。図示は省略するが、前記透明板保持枠８の他側には錠挿通孔が設けられ、透明板保持枠８を内枠３の前面に当接して閉めたとき、内枠３の前面に錠挿通孔と対応位置して前方へ突設された錠が錠挿通孔に嵌り、この状態で、施錠することにより透明板保持枠７が開放できない状態になる。
【００１２】
内枠３の後面には、遊技盤７の裏面を覆うようにして合成樹脂製の機構板１６が配置される。該機構板１６も一側を支点にして開閉自在に軸着される。ただ、透明板保持枠８と機構板１６は共に内枠３の前側と後側にそれぞれ位置するも、同じ側に軸着されている。機構板１６の裏面には、その上部に位置して遊技球を貯留する球タンク１７が配置され、その一側に該球タンク１７から排出される遊技球を下流へ誘導するタンクレール１８が配置される。タンクレール１８の流下端には、カーブレール１９が連接され、該カーブレール１９の下方に球払出装置２０が配置される。また、その下方には、球払出装置２０から払い出された遊技球を前板９の前面に装着された上部球受皿１１に導く球排出樋２１が配設されている。
【００１３】
遊技者は上部球受皿１１に遊技球を貯留した状態で、打球力調整ハンドル１３を所定方向へ回動させ遊技盤７面に遊技球を打ち込んで遊技をすることになる。そして、その間に、例えば遊技盤７面に打ち込んだ遊技球であって入賞装置６に入った遊技球が、その中で停止し詰まってしまった場合は、すぐに係員を呼んで透明板保持枠８を開錠して開放してもらい、その詰まった遊技球を取り除いてもらうようにしている。
【００１４】
本発明にあっては、図３乃至図５に示すように内枠３の一側上部、すなわち透明板保持枠８、機構板１６の開放側の上部に、透明板保持枠８が開放されたとき、その開放動作を検知してパチンコホールの指令室に報知する開放動作検知装置Ａが配置される。該開放動作検知装置Ａは、後記する主弾性部材３４により常に前方へ付勢される検知棒２２と、該検知棒２２が該主弾性部材３４に抗して後方へ摺動したときそれを検知する検知スイッチ２３と、から概ね構成される。
【００１５】
更に詳しく説明すると、内枠３の所定位置に前後方向に貫通する取付孔２４が設けられる。この場合、所定位置とは、内枠３の一側、すなわち透明板保持枠８の開放側、の上部の適宜位置である。該取付孔２４は段部２５を介してその内部前側が小径に形成され、該小径部２４ａから検知棒２２の前端部が前方へ出没するようになっている。検知棒２２は、ほぼ中間に前記取付孔２４の内径とほぼ同じ外径を有する円盤状のフランジ２６が周設される。また、その後側であって環状突部２７の後側に、環状凹溝２８が周設されている。該環状凹溝２８から後端までは、その外周面が後端に進むに従い漸次窄まるテーパ面状に形成され、後端面２２ａは鉛直面に形成される。
【００１６】
前記検知棒２２の後端部の環状凹溝２８に、副弾性部材である副コイルバネ２９が装着される。該副コイルバネ２９は、前記検知棒２２の後端面２２ａから副コイルバネ２９の後端までの自然長の寸法が、例えば５ｍｍに設定されている。これは、後記するように、透明板保持枠８を閉めた状態で検知スイッチ２３が後方へずれたとしても、そのずれた位置に追随して副コイルバネ２９が検知スイッチ２３の検知部２３ａを押動して透明板保持枠８が閉められているものと認識できる寸法である。取付孔２４の後端には、検知棒２２の後端部を支持する支持部材３０が取着される。該支持部材３０は、前後に貫通した円筒部３１の後端に該円筒部３１の中心軸線に対し直交するようにして取付片３２を設けて形成される。該取付片３２には、円筒部３１の両側に位置してそれぞれ螺子挿通孔３３が設けられる。前記円筒部３１の外径は取付孔２４の後側の内径とほぼ同じ寸法に設定されると共に、円筒部３１の内径は検知棒２２の環状突部２７の外径とほぼ同じ寸法に設定される。
【００１７】
そして、検知棒２２のフランジ２６よりも前側に主弾性部材である主コイルバネ３４を外嵌し、この状態で内枠３の後側から検知棒２２の前側を取付孔２４に挿入する。また、支持部材３０を検知棒２２の後端部に嵌合すると共に円筒部３１を取付孔２４に挿入し、支持部材３０の取付片３２を内枠３の後面に当接する。この状態で、両螺子挿通孔３３と対向位置して内枠３の後面に設けられた螺子孔３５に、該螺子挿通孔３３を介して螺子３６を螺締する。これにより、取付孔２４内で主コイルバネ３４が検知棒２２のフランジ２６と支持部材３０の円筒部３１との間に圧縮された状態で介在し、検知棒２２を常に前方へ付勢するようにしている。
【００１８】
一方、機構板１６の前面であって前記検知棒２２の後端面２２ａと対向する位置には、該検知棒２２の前後方向の摺動動作により、その動きを電気的に検知する検知スイッチ２３が配置固定される。該検知スイッチ２３の検知部２３ａは、一端を軸着されると共に検知棒２２の中心軸と直交する向きに配置される。そして、検知棒２２の後退動作により押されて傾動し、傾動した検知部２３ａによりスイッチボタン２３ｂが押されるようになっている。この場合、該検知スイッチ２３は、前記スイッチボタン２３ｂが押されて没入するとＯＦＦ状態となり、スイッチボタン２３ｂが突出するとＯＮ状態となる。スイッチボタン２３ｂが突出して検知スイッチ２３がＯＮしたとき、例えば司令室にその指令を出力して報知するようになっている。
【００１９】
そこで、例えば、図４に示すように透明板保持枠８が内枠３の前面に当接して閉められているときは、検知棒２２の前端が透明板保持枠８に押され、該検知棒２２が主コイルバネ３４の弾性に抗して後退している。また、この際、副コイルバネ２９が環状突部２７と傾動した検知部２３ａとの間で収縮され、検知棒２２の後端面２２ａが検知部２３ａを押している。よって、検知部２３ａによりスイッチボタン２３ｂが押されて没入し、検知スイッチ２３がＯＦＦ状態にある。これにより、該パチンコ遊技機Ｐは透明板保持枠８が閉まっていると判断される。
【００２０】
これに対し、例えば図５に示すように透明板保持枠８が開けられたときは、検知棒２２が主コイルバネ３４の付勢により内枠３の前方へ突出する。これにより、検知棒２２の後端面２２ａが検知部２３ａから前方へ離れ、同時に副コイルバネ２９も伸びると共に離れる。これにより、検知部２３ａが元の位置に復帰すると共にスイッチボタン２３ｂも突出する。よって、検知スイッチ２３がＯＮ状態となる。そして、その信号がパチンコホールの司令室に出力され、ランプを点灯させるといった手段が採られ、該パチンコ遊技機Ｐは透明板保持枠８が開いていると判断される。
【００２１】
図６は、球タンク１７に貯留される遊技球の球重量といった荷重が加わることにより機構板１６が後側へ沿った場合を示す。この場合、機構板１６の前面の所定位置に配置固定された検知スイッチ２３の位置が、初期の取付位置（図４、図５の取付位置）から、後方へ寸法Ｌだけ少しずれる。このため、検知棒２２の後端面２２ａが検知部２３ａから離れ、該検知部２３ａが元の位置に復帰し、透明板保持枠８が締められているにも拘らず、検知スイッチ２３がＯＮ状態となり、その指令が司令室に出力されるという誤動作を起こす危険性が有る。しかしながら、検知棒２２の後端部に副コイルバネ２９が装着されていることから、検知部２３ａが後方へずれるのに伴い副コイルバネ２９も後方へその分伸びることになり、これにより検知スイッチ２３の誤動作を修正できる。
【００２２】
すなわち、機構板１６が反って検知スイッチ２３が初期の取付位置より後方へずれても、透明板保持枠８が閉まっている限り、検知棒２２の後端部の副コイルバネ２９がその分後方へ伸びて検知部２３ａを押した状態をそのまま維持する。これにより、検知スイッチ２３はＯＦＦ状態を維持することになる。
【００２３】
このように、検知棒２２の後端部に副コイルバネ２９を装着し、該副コイルバネ２９の自然長の寸法を、透明板保持枠８を閉めた状態で検知スイッチ２３が後方へずれたとしても、副コイルバネ２９が検知スイッチ２３の検知部２３ａを押動して、透明板保持枠８が閉められているものと認識できるように設定される。よって、仮に、機構板１６が後側に反って検知スイッチ２３が初期の位置から後方へずれたとしても、透明板保持枠８を閉めた状態では、必ず検知棒２２が検知スイッチ２３の検知部２３ａを押動する。これにより、透明板保持枠８の開閉状態を正しく検知することができることになる。
【００２４】
本発明にあっては、副弾性部材として副コイルバネ２９を示したが、該副弾性部材は、前記条件を満たせば、他に捻りバネ、または合成樹脂材からなるスポンジであっても良い。また、主弾性部材として主コイルバネ３４を示したが、該主コイルバネ３４は、コイルバネに限るものではなく、他に検知棒２２に外嵌できる大きさでありかつ筒状のゴム、筒状の合成樹脂材からなり弾力性を有するものであれば良い。
【図面の簡単な説明】
【００２５】
【図１】本発明に係るパチンコ遊技機の前から見た外観斜視図。
【図２】同パチンコ遊技機の後から見た外観斜視図。
【図３】開閉動作検知装置の要部を示す分解斜視図。
【図４】透明板保持枠を閉めた状態の要部の平面断面図。
【図５】透明板保持枠を開けた状態の要部の平面断面図。
【図６】機構板が反った状態の要部の平面断面図。
【符号の説明】
【００２６】
１              外枠
３              内枠
７              遊技盤
８              透明板保持枠
１６            機構板
１７            球タンク
１８            タンクレール
２２            検知棒
２３            検知スイッチ
２９            副弾性部材（副コイルバネ）
３４            主弾性部材（主コイルバネ）
Ａ              開放動作検知装置
Ｐ              パチンコ遊技機
【図１】
2009195274.tif 000003
【図２】
2009195274.tif 000004
【図３】
2009195274.tif 000005
【図４】
2009195274.tif 000006
【図５】
2009195274.tif 000007
【図６】
2009195274.tif 000008